(57)【要約】【課題】熱伝導を遮断する中空セラミック体を有し、さらに、所定温度に自己制御されるシート状の発熱半導体を有し、断熱効果が高く、容易に施工される断熱材および床暖房材を提供する。【解決手段】断熱シート２は、接着剤３と混錬、凝固される中空セラミック体４が含有され、第１の耐熱性の合成樹脂，紙又は布から成る第１の断熱材用保護シート１と、第２の耐熱性の合成樹脂，紙又は布から成る第２の断熱材用保護シート５の間に接着される。熱伝導が遮断され、断熱材６は高い断熱効果を奏する。断熱材６の第１の断熱材用保護シート１に、第１の発熱半導体用保護シート９が接着され、さらに、シート状の発熱半導体１０を挟んで、第２の発熱半導体用保護シート１１が接着される。発熱半導体１０は通電されて発熱され、所定温度に自己制御される。床暖房材７は、熱効率が良く、安全性も高く、施工性に優れる。【選択図】　　　　　　　　図１
2004125157.tif 000002
【特許請求の範囲】
【請求項１】
第１の耐熱性の合成樹脂，紙又は布から成る第１の断熱材用保護シートと、
接着剤と混錬、凝固される中空セラミック体が含有され、前記第１の断熱材用保護シートに接着され熱伝導を遮断する断熱シートと、
前記断熱シートに接着され、第２の耐熱性の合成樹脂，紙又は布から成る第２の断熱材用保護シートと、から成ることを特徴とする断熱材。
【請求項２】
前記接着剤は、弾力性、粘性を有するエマルジョン系、弾性系である請求項１記載の断熱材。
【請求項３】
前記第１の断熱材用保護シート、前記第２の断熱材用保護シート、前記断熱シートは、単数層又は複数層から成る請求項１記載の断熱材。
【請求項４】
請求項１記載の断熱材と、
請求項１記載の断熱材の前記第１の断熱材用保護シートに接着され、第１の耐熱性の合成樹脂から成る第１の発熱半導体用保護シートと、
前記第１の発熱半導体用保護シートに接着され、所定温度に自己制御されるシート状の発熱半導体と、
前記発熱半導体に接着され、第２の耐熱性の合成樹脂から成る第２の発熱半導体用保護シートと、から成ることを特徴とする床暖房材。
【請求項５】
第１の耐熱性の合成樹脂から成る第１の床暖房材用保護シートと、
前記第１の床暖房材用保護シートに接着され、所定温度に自己制御されるシート状の発熱半導体と、
前記発熱半導体に接着され、第３の耐熱性の合成樹脂と混錬、凝固される中空セラミック体が含有され、前記発熱半導体からの放熱を遮断する断熱シートと、から成ることを特徴とする床暖房材。
【請求項６】
前記第１の発熱半導体用保護シート、第２の発熱半導体用保護シート、前記断熱シート、前記発熱半導体、請求項１記載の断熱材の前記第１の断熱材用保護シートおよび前記第２の断熱材用保護シートは、単数層又は複数層から成る請求項４記載の床暖房材。
【発明の詳細な説明】
【０００１】
【発明の属する技術分野】
本発明は、中空セラミック体により熱伝導を遮断する断熱材および所定温度に自己制御されるシート状の発熱半導体を有する床暖房材に関する。
【０００２】
【従来の技術】
従来、例えば、特開２００１−２７００２１（特許文献１）に示される反射断熱シートが提案されている。
上述の従来例は、シート基材の両面が、オレフィン系合成樹脂より成る織布、不織布又は編物を積層して成り、合成樹脂層の少なくとも一方が、好適には粒径５〜７０ミクロンのガラスビーズ或いはセラミックビーズが使われ、熱線を反射する中空ガラス球状体、又は中空セラミック球状体を含有する断熱体で、赤外域の光線を選択的に反射し、一方可視光域の光は透過するか、又は乱反射させることで、反射断熱効果を保持したまま反射公害を解消することができる。　遮光性シートととしても可能で、また、光透過性も良く、防水性、柔軟性に優れた反射断熱シートとして知られる。
【０００３】
【特許文献１】
特開２００１−２７００２１公報（段落番号００１４，図１）
【発明が解決しようとする課題】
そこで、本発明は、熱伝導を遮断する中空セラミック体を有し、さらに、所定温度に自己制御されるシート状の発熱半導体を有し、断熱効果が高く、容易に施工される断熱材および床暖房材を提供することを目的とする。
【０００４】
【課題を解決するための手段】
請求項１の本発明は、第１の耐熱性の合成樹脂，紙又は布から成る第１の断熱材用保護シートと、
接着剤と混錬、凝固される中空セラミック体が含有され、前記第１の断熱材用保護シートに接着され熱伝導を遮断する断熱シートと、
前記断熱シートに接着され、第２の耐熱性の合成樹脂，紙又は布から成る第２の断熱材用保護シートと、から成ることを特徴とする断熱材である。
請求項２の本発明は，前記接着剤は、弾力性、粘性を有するエマルジョン系、弾性系である請求項１記載の断熱材である。
請求項３の本発明は、前記第１の断熱材用保護シート、前記第２の断熱材用保護シート、前記断熱シートは、単数層又は複数層から成る請求項１記載の断熱材
である。
【０００５】
請求項４の本発明は、請求項１記載の断熱材と、
請求項１記載の断熱材の前記第１の断熱材用保護シートに接着され、第１の耐熱性の合成樹脂から成る第１の発熱半導体用保護シートと、
前記第１の発熱半導体用保護シートに接着され、所定温度に自己制御されるシート状の発熱半導体と、
前記発熱半導体に接着され、第２の耐熱性の合成樹脂から成る第２の発熱半導体用保護シートと、から成ることを特徴とする床暖房材である。
請求項５の本発明は、第１の耐熱性の合成樹脂から成る第１の床暖房材用保護シートと、
前記第１の床暖房材用保護シートに接着され、所定温度に自己制御されるシート状の発熱半導体と、
前記発熱半導体に接着され、第３の耐熱性の合成樹脂と混錬、凝固される中空セラミック体が含有され、前記発熱半導体からの放熱を遮断する断熱シートと、から成ることを特徴とする床暖房材である。
請求項６の本発明は、前記第１の発熱半導体用保護シート、第２の発熱半導体用保護シート、前記断熱シート、前記発熱半導体、請求項１記載の断熱材の前記第１の断熱材用保護シートおよび前記第２の断熱材用保護シートは、単数層又は複数層から成る請求項４記載の床暖房材である。
【０００６】
請求項１の本発明の断熱材によれば、図１に示されるように、第１の断熱材用保護シート１は、耐熱性を有する第１の合成樹脂、紙又は布から成り、断熱シート２は、接着剤３と混錬、凝固される中空セラミック体４が含有され、第１の断熱材用保護シート１に接着され、さらに、耐熱性を有する第２の合成樹脂、紙又は布から成る第２の断熱材用保護シート５に接着される。
このため、第１の断熱材用保護シート１および第２の断熱材用保護シート５からの熱伝導が遮断され、断熱材６は高い断熱効果を奏する。
請求項２の本発明の断熱材によれば、図１に示されるように、接着剤３は、弾力性、粘性を有するエマルジョン系、弾性系であり、中空セラミック体４と混錬される。中空セラミック体４は均質に凝固され、弾性の有る強靭な皮膜が形成され、又、振動や衝撃に強く、接着界面への応力を分散する働きを有する。
このため、柔軟性を有する断熱シート２として、建築用資材を始め、家庭用に至るまで広い用途に適用が可能である。
請求項３の本発明の断熱材によれば、図１に示されるように、第１の断熱材用保護シート１、第２の断熱材用保護シート５、断熱シート２は、単数層又は複数層から成る。
また、図３（ａ）（ｂ）に示されるように複数層の第１の断熱材用保護シート１ａ，１ｂ、第２の断熱材用保護シート５ａ、５ｂ、断熱シート２ａ，２ｂ、から成る場合も有る。　複数層の中空セラミック体４ａ，４ｂは、単数層の中空セラミック体４に対応し、同様に、中空部８ａ，８ｂは単数層の中空部８に対応し、第１の耐熱性の合成樹脂，紙又は布は、単数層の第１の耐熱性の合成樹脂，紙又は布に対応し、第２の耐熱性の合成樹脂，紙又は布は、単数層の第２の耐熱性の合成樹脂，紙又は布に対応する。
このため、施工仕様に応じた適正な保護機能、又は、断熱機能の選択が可能である。
【０００７】
請求項４の本発明の床暖房材によれば、図２に示されるように、断熱材６を形成する第１の断熱材用保護シート１の上部に、第１の耐熱性の合成樹脂から成る第１の発熱半導体用保護シート９が接着され、さらに、所定温度に自己制御されるシート状の発熱半導体１０が接着され、発熱半導体１０の上部に、第２の耐熱性の合成樹脂から成る第２の発熱半導体用保護シート１１が接着され、シート状に形成される。
又、第２の発熱半導体用保護シート１１は、図示されない床構造体に接し、発熱半導体１０からの熱エネルギーを床構造体に効率良く伝播させると共に、発熱半導体１０が床構造体と接することにより損傷されることが防止される。
さらに、発熱半導体１０は、通電されることにより発熱され、所定温度に自己制御される機能により、過昇温することがなく、床暖房材７としての安全性が高い。又、第１の発熱半導体用保護シート９の下部に接着される断熱材６は、中空セラミック体４による高い断熱効果により、発熱半導体１０から発生する熱エネルギーの熱損失を最小限に少なく抑える。
このため、安全性が高く、熱効率の良い床暖房材７が得られる。又、断熱材６は、柔軟性を有し、かつ、断熱効果も高く、床暖房用として施工される場合に、容易に施工される。
【０００８】
請求項５の本発明の床暖房材によれば、図４に示されるように、床暖房材用保護シート３１は、耐熱性を有する第１の合成樹脂から成り、発熱半導体３２は、床暖房材用保護シート３１に接着され、シート状に形成される。床暖房材用保護シート３１は、図示されない床構造体に接し、発熱半導体３２からの熱エネルギーを床構造体に効率良く伝播させると共に、発熱半導体３２が床構造体と接することにより損傷されることが防止される。又、発熱半導体３２は、通電されることにより発熱され、所定温度に自己制御されるものである。
このため、床暖房材用保護シート３１を介して所定温度の熱エネルギーを図示されない床構造体に供給し、暖房する。
又、発熱半導体３２は、所定温度に自己制御される機能により、過昇温することがなく、床暖房材としての安全性が高い。断熱シート３３は、発熱半導体３２に接着され、また、第３の耐熱性の合成樹脂と混錬、凝固される、中空セラミック体３４が含有され、発熱半導体３２から発生する熱エネルギーが放熱するのを遮断する。このため、発熱半導体３２から発生する熱エネルギーの熱損失を最小限に少なく抑えることができ、効率の高い暖房効果が得られる。
この結果、断熱シート３３は、柔軟性を有し、かつ、断熱効果も高く、床暖房材３５として施工される場合に、容易に施工される。
【０００９】
請求項６の本発明の床暖房材によれば、図２に示されるように、第１の断熱材用保護シート１および第２の断熱材用保護シート５，断熱シート２，発熱半導体１０，第１の発熱半導体用保護シート９，第２の発熱半導体用保護シート１１は、単数層又は複数層から成る。
また、図３（ａ）（ｂ）に示されるように、複数層の第１の断熱材用保護シート１ａ，１ｂ、第２の断熱材用保護シート５ａ、５ｂ、断熱シート２ａ，２ｂ、第１の発熱半導体用保護シート９ａ，９ｂ、第２の発熱半導体用保護シート１１ａ，１１ｂ、発熱半導体１０ａ、１０ｂから成る場合も有る。　複数層の中空セラミック体４ａ，４ｂは、単数層の中空セラミック体４に対応し、同様に、中空部８ａ，８ｂは単数層の中空部８に対応し、第１の耐熱性の合成樹脂，紙又は布は、単数層の第１の耐熱性の合成樹脂，紙又は布に対応し、第２の耐熱性の合成樹脂，紙又は布は、単数層の第２の耐熱性の合成樹脂，紙又は布に対応する。
このため、施工仕様に応じた適正な保護機能、又は、断熱機能の選択が可能である。
【００１０】
【発明の実施の形態】
以下、本発明を、図面を参照して、その実施の形態に基づいて説明する。
本発明の断熱材の一実施の形態は、図１に示されるように、第１の断熱材用保護シート１は、耐熱性を有する第１の合成樹脂、紙又は布から成り、断熱シート２は、接着剤３と混錬、凝固される中空セラミック体４が含有され、第１の断熱材用保護シート１に接着され、さらに、耐熱性を有する第２の合成樹脂，紙又は布から成る第２の断熱材用保護シート５に接着される。　第１の耐熱性の合成樹脂および第２の耐熱性の合成樹脂は、例えば、厚さ０．１５ｍｍのポリ塩化ビニール樹脂より成るが、耐熱性を有し、熱伝導度が高ければ良く、紙又は布を含め材質は限定されない。　断熱シート２は、接着剤３と混錬、凝固される中空セラミック体４が含有され、一方の面は第１の断熱材用保護シート１に接着され、他の面は第２の断熱材用保護シート５に接着される。
中空セラミック体４は、例えば、ＳｉＯ２（シリカ）：７５％、Ａｌ２Ｏ３（アルミナ）：９．６％、ＴｉＯ３（チタニア）：０．４％を主成分として成るが、断熱特性が優れれば特に成分は限定されない。中空部８には、例えば、空気が封入されるが、不活性な気体であっても良い。中空セラミック体４は、接着材３と混錬される際に、隙間なく配列、凝固される。
このため、第１の断熱材用保護シート１および第２の断熱材用保護シート５からの熱伝導が遮断され、断熱材６は高い断熱効果を奏する。
図１に示されるように、単数層で構成される各層の厚みは、例えば、第１の断熱材用保護シート１：０．１５ｍｍ、断熱シート２：０．３５ｍｍ、第２の断熱材用保護シート５：０．１５ｍｍと、全体が薄く構成される。
この結果、断熱材６は、柔軟性を有し、かつ、断熱効果も高く、床暖房材として施工される場合に、容易に施工され、専門の施工者を必要としない程である。さらに、保温性、防水性、防音性にも優れ、一般住宅建築用から家庭用に至るまで広い用途に適用される。
【００１１】
さらに、図１に示されるように、接着剤３は、弾力性、粘性を有するエマルジョン系、弾性系であり、酢酸ビニルエマルジョン系、ビニルウレタン係接着剤が好適である。接着剤３は、中空セラミック体４と混錬され，中空セラミック体４は均質に凝固され、弾性の有る強靭な皮膜が形成され、又、振動や衝撃に強く、接着界面への応力を分散する働きを有する。
このため、柔軟性の有る断熱シート２として、建築用資材を始め、家庭用に至るまで広い用途に適用が可能である。
次に、図３（ａ）（ｂ）に示されるように、複数層の第１の断熱材用保護シート１ａ，１ｂ、第２の断熱材用保護シート５ａ、５ｂ、断熱シート２ａ，２ｂ、から成る場合も有る。
このため、施工仕様に応じた適正な保護機能、又は、断熱機能の選択が可能である。
【００１２】
本発明の床暖房材の一実施の形態は、図２に示されるように、断熱材６を形成する第１の断熱材用保護シート１の上部に、第１の耐熱性の合成樹脂から成る第１の発熱半導体用保護シート９が接着され、さらに、所定温度に自己制御されるシート状の発熱半導体１０が接着され、発熱半導体１０の上部に、第２の耐熱性の合成樹脂から成る第２の発熱半導体用保護シート１１が接着され、シート状に形成される。，発熱半導体１０は、図２に示されるように、　例えば、ＰＴＣ（Ｐｏｓｉｔｉｖｅ　Ｔｅｍｐｅｒａｔｕｒｅ　Ｃｏｅｆｆｉｃｉｅｎｔ：所定温度自己制御機能）サーミスタであり、チタン酸バリウムを主成分とする半導体セラミックスより成り、発熱半導体１０に通電してジュール熱が得られる。
例えば、キュリー点温度を超えると、急激に抵抗値が増大して、電流を流さなくなる性質を有し、さらに、発熱温度の低下、抵抗値の減少、電流値の増加、発熱温度の増大というサイクルを繰り返すことにより、所定温度、例えば、４０℃〜１８０℃　に自己制御される。
このため、第２の発熱半導体用保護シート１１を介して所定温度の熱エネルギーを図示されない床構造体に供給し、暖房する。
また、発熱半導体１０は、所定温度に自己制御される機能により、過昇温することがなく、床暖房材７としての安全性が高い。
又、第２の発熱半導体用保護シート１１は、図示されない床構造体に接し、発熱半導体１０からの熱エネルギーを床構造体に効率良く伝播させると共に、発熱半導体１０が床構造体と接することにより損傷されることが防止される。
【００１３】
次に、図２に示されるように、第１の断熱材用保護シート１および第２の断熱材用保護シート５、断熱シート２，発熱半導体１０，第１の発熱半導体用保護シート９および第２の発熱半導体用保護シート１１は、単数層又は複数層から成る。
また、本発明の床暖房材の他の実施の形態は、図３（ａ）（ｂ）に示されるように、複数層より成る場合も有る。第１の断熱材用保護シート１ａ、１ｂおよび第２の断熱材用保護シート５ａ，５ｂは、単数層の断熱材用保護シート１および５に対応し、断熱シート２ａ，２ｂは、単数層の断熱シート２に対応し、発熱半導体１０ａ，１０ｂは、単数層の発熱半導体１０に対応し、第１の発熱半導体用保護シート９ａ，９ｂおよび第２の発熱半導体用保護シート１１ａ，１１ｂは、単数層の発熱半導体用保護シート９および１１に夫々対応する。
また、複数層の中空セラミック体４ａ，４ｂは、単数層の中空セラミック体４に対応し、同様に、中空部８ａ，８ｂは単数層の中空部８に対応し、第１の耐熱性の合成樹脂，紙又は布は、単数層の第１の耐熱性の合成樹脂，紙又は布に対応し、第２の耐熱性の合成樹脂，紙又は布は、単数層の第２の耐熱性の合成樹脂，紙又は布に対応する。
従って、より発熱容量の大きい、断熱性能の高い床暖房材が可能となる。
このため、施工仕様に応じた、適正な保護機能、断熱機能を有する床暖房材の選択が可能である。
【００１４】
さらに、本発明の床暖房材の他の実施の形態は、図４に示されるように、床暖房材用保護シート３１は、耐熱性を有する第３の合成樹脂から成り、発熱半導体３２は、床暖房材用保護シート３１に接着され、シート状に形成される。床暖房材用保護シート３１は、図示されない床構造体に接し、発熱半導体３２からの熱エネルギーを床構造体に効率良く伝播させると共に、発熱半導体３２が床構造体と接することにより損傷されることが防止される。又、発熱半導体３２は、通電されることにより発熱され、所定温度に自己制御されるものである。
又、図５に示されるように、複数層の床暖房材用保護シート３１ａ、３１ｂ、断熱シート３３ａ、３３ｂから成る場合も有る。
このため、発熱半導体３２から発生する熱エネルギーの熱損失を最小限に少なく抑えることができ、効率の高い暖房効果が得られる。
この結果、断熱シート３３は、柔軟性を有し、かつ、断熱効果も高く、床暖房材３５として施工される場合に、容易に施工される。
【００１５】
【発明の効果】
本発明は、以上説明したように、熱伝導を遮断する中空セラミック体を有し、さらに、所定温度に自己制御されるシート状の発熱半導体を有し、断熱効果が高く、容易に施工されるという効果を奏する。
【図面の簡単な説明】
【図１】本発明の断熱材の一実施の形態の断面図である。
【図２】本発明の床暖房材の一実施の形態の断面図である。
【図３】図３（ａ）は本発明の床暖房材の他の実施の形態の断面図である。図３（ｂ）は図３（ａ）のＡ部拡大図である。
【図４】本発明の床暖房材の他の実施の形態の断面図である。
【図５】本発明の床暖房材の他の実施の形態の断面図である。
【符号の説明】
１，１ａ，１ｂ　第１の断熱材用保護シート　　　２　，２ａ，２ｂ　　断熱シート
３，３ａ，３ｂ　　接着剤　　　　　　　　　　　４，４ａ，４ｂ　中空セラミック体
５，５ａ，５ｂ　　第２の断熱材保護シート　　　６　断熱材　　　７　床暖房材
８，８ａ，８ｂ　　中空部　　　　　　　　　９，９ａ，９ｂ　　第１の発熱半導体用保護シート
１０，１０ａ，１０ｂ　　発熱半導体　　　１１，１１ａ，１１ｂ　　第２の発熱半導体用保護シート
３１，３１ａ，３１ｂ　　暖房材用保護シート　　　　３２　　発熱半導体
３３，３３ａ，３３ｂ　　断熱シート　　　　　３４，３４ａ，３４ｂ　　中空セラミック体
３５，３６　　　　　　床暖房材
【図１】
2004125157.tif 000003
【図２】
2004125157.tif 000004
【図３】
2004125157.tif 000005
【図４】
2004125157.tif 000006
【図５】
2004125157.tif 000007